(57)【特許請求の範囲】
【請求項１】
複数の直流出力を備え、複数の直流出力のうちの１つの直流出力を分圧する分圧回路の分圧電圧に基づいて出力電圧の誤差を検出し、検出した誤差を一次側のスイッチング回路に帰還すると共に、分圧回路の分圧比を、基準値から、基準値より小さい値に変更することによって直流出力の電圧を降下させる直流電源装置において、
前記１つの直流出力を基準直流出力とするとき、
複数の直流出力から基準直流出力を除いた直流出力のうちの１つの直流出力である低圧側直流出力と、複数の直流出力から基準直流出力を除いた直流出力のうちの１つの直流出力であって、低圧側直流出力より電圧の高い直流出力である高圧側直流出力とを切り換えて送出するスイッチ回路と、
スイッチ回路から送出される直流出力を安定化する降圧型レギュレータとを備え、
分圧回路の分圧比を基準値とするときにはスイッチ回路から低圧側直流出力を送出させ、分圧回路の分圧比を前記小さい値とするときにはスイッチ回路から高圧側直流出力を送出させ、
分圧比が基準値となるときの低圧側直流出力の電圧と分圧比が基準値より小さい値となるときの高圧側直流出力の電圧との双方を、降圧型レギュレータの入力電圧の下限値より高い電圧とし、
複数の直流出力から基準直流出力を除いた直流出力の電圧を監視し、監視した電圧が予め設定された電圧より低くなったときには、分圧回路の分圧比を前記小さい値に変更することを特徴とする直流電源装置。
【発明の詳細な説明】
【０００１】
【発明の属する技術分野】
本発明は、複数の直流出力を備えた直流電源装置に係り、より詳細には、誤差検出のための分圧回路の分圧比を変更することによって直流出力の電圧を降下させる直流電源装置に関するものである。
【０００２】
【従来の技術】
テレビにおいては、モードを動作モードから待機モードに移行させる場合、スポット残りを発生させないようにつつ、テレビ部の動作を停止させることが要求される。また、制御用のマイクロコンピュータには、待機状態となったときにも、所定電圧の直流出力を供給することが要求される。この要求を満たすための直流電源が、特開平８−１３０８７４号として提案されている。
すなわち、この技術では、誤差検出回路に設けられた分圧回路の分圧比を変更可能としている。そして、モードが待機モードとなったときには、分圧比を小さくする制御を行っている。このため、動作モードにおける制御の目標値が、例えば１１２Ｖになっていたとすると、待機モードになったときには、制御の目標値は、例えば４０Ｖとなる。従って、モードが動作モードから待機モードに移行すると、テレビ部に供給される直流出力（第１の直流出力とする）の電圧は、１１２Ｖから４０Ｖに向かって降下する。このため、テレビ部は、スポット残りを発生させることなく、動作を停止する。また、マイクロコンピュータのための電源には降圧型レギュレータが用いられており、例えば、動作モード時では２７Ｖ、待機モード時では８．５Ｖとなる直流出力（第２の直流出力とする）を５Ｖに降下させている。従って、待機モードとなり、第２の直流出力の電圧が低下したときにも、マイクロコンピュータには規格値の５Ｖが供給されることになる。
【０００３】
【発明が解決しようとする課題】
本発明は、上記従来技術において負荷に不具合が発生したときの発熱を抑制するものである。
このため、本発明は、誤差検出が行われない直流出力の電圧が所定値以下となったときには、分圧比を小さくし、直流出力の電圧を降下させることによって、負荷の不具合の発生に伴う発熱を抑制することのできる直流電源装置を提供することを目的にしている。
【０００４】
【課題を解決するための手段】
上記課題を解決するため本発明に係る直流電源装置は、複数の直流出力を備え、複数の直流出力のうちの１つの直流出力を分圧する分圧回路の分圧電圧に基づいて出力電圧の誤差を検出し、検出した誤差を一次側のスイッチング回路に帰還すると共に、分圧回路の分圧比を、基準値から、基準値より小さい値に変更することによって直流出力の電圧を降下させる直流電源装置に適用し、前記１つの直流出力を基準直流出力とするとき、複数の直流出力から基準直流出力を除いた直流出力のうちの１つの直流出力である低圧側直流出力と、複数の直流出力から基準直流出力を除いた直流出力のうちの１つの直流出力であって、低圧側直流出力より電圧の高い直流出力である高圧側直流出力とを切り換えて送出するスイッチ回路と、スイッチ回路から送出される直流出力を安定化する降圧型レギュレータとを備え、分圧回路の分圧比を基準値とするときにはスイッチ回路から低圧側直流出力を送出させ、分圧回路の分圧比を前記小さい値とするときにはスイッチ回路から高圧側直流出力を送出させ、分圧比が基準値となるときの低圧側直流出力の電圧と分圧比が基準値より小さい値となるときの高圧側直流出力の電圧との双方を、降圧型レギュレータの入力電圧の下限値より高い電圧とし、複数の直流出力から基準直流出力を除いた直流出力の電圧を監視し、監視した電圧が予め設定された電圧より低くなったときには、分圧回路の分圧比を前記小さい値に変更する構成としている。
すなわち、監視した電圧が予め設定された電圧より低くなったときとは、負荷の短絡等のように、直流出力の負荷の抵抗値が小さくなったときである。一方、分圧回路の分圧比を小さくすると、基準直流出力を除く直流出力は、等価的な内部抵抗が大きくなる。従って、負荷の抵抗値が小さくなっても、流れる電流は少ないことから、発熱量は微小な値に留まる。
【０００５】
【発明の実施の形態】
以下に本発明の実施例の形態を、図面を参照しつつ説明する。
図１は、本発明に係る直流電源装置の一実施形態の電気的構成を示すブロック線図であり、ビデオ一体型テレビに適用した場合の構成を示している。
【０００６】
図において、テレビ部４は、チューナ部、チューナ部の出力信号の処理部、およびＣＲＴ等を備えたブロックとなっている。また、ビデオ部３は、録画および再生を行うためのブロックとなっており、録画再生部、ビデオカセットテープを走行させる機構部、等を備えている。
【０００７】
スイッチング回路１は、スイッチングトランジスタ、スイッチングトランジスタのベース電流を制御する制御トランジスタ等を備えたブロックとなっており、商用電源を整流平滑することにより得られた直流源が導かれている。また、トランス２に巻回された一次コイルＬ１とベースコイルＬ２とが接続されている。そして、フォトカプラ７を介し、誤差検出回路８から与えられる誤差出力に基づいて、一次コイルＬ１に流れる電流のスイッチングを行う。
【０００８】
トランス２には、タップの無い２つの二次コイルＬ３，Ｌ４と、タップが設けられた二次コイルＬ５とが巻回されており、各二次コイルＬ３〜Ｌ５の出力は、ダイオードとコンデンサとにより整流平滑される。詳細には、二次コイルＬ３の出力を整流平滑することにより得られた直流出力（請求項記載の低圧側直流出力）８Ｖは、マイクロコンピュータ用の電源となっている。また、二次コイルＬ４の出力を整流平滑することにより得られた直流出力１２Ｖは、テレビ部４やビデオ部３のモータ、音声信号回路、および、その他のアナログ信号回路のための電源となっている。また、二次コイルＬ５の端部端子の出力を整流平滑することにより得られた直流出力１１２Ｖは、テレビ部４の水平回路のための電源となっている。また、二次コイルＬ５のタップの出力を整流平滑することにより得られた直流出力（請求項記載の高圧側直流出力）２７Ｖは、テレビ部４の垂直回路のための電源となっている。
【０００９】
以上のことから、動作モードのとき、すなわち、誤差検出回路８の分圧回路の分圧比が規定値であるとき、直流出力８Ｖの電圧は８Ｖ、直流出力１２Ｖの電圧は１２Ｖ、直流出力２７Ｖの電圧は２７Ｖ、直流出力１１２Ｖの電圧は１１２Ｖとなる。また、待機モードのとき、すなわち、分圧比が規定値より小さくなったときには、直流出力８Ｖの電圧は２．３Ｖ、直流出力１２Ｖの電圧は４Ｖ、直流出力２７Ｖの電圧は８．５Ｖ、直流出力１１２Ｖの電圧は４０Ｖとなる。
【００１０】
誤差検出回路８は、直流出力１１２Ｖ（請求項記載の基準直流出力）を分圧する分圧回路、基準電圧の発生回路、および、分圧電圧と基準電圧との差異を検出する回路等を備えたブロックとなっている。そして直流出力１１２Ｖの分圧電圧と基準電圧との電圧誤差を検出し、検出した電圧誤差に対応する電流でもってフォトカプラ７を駆動する。また、分圧回路の分圧比は変更可能となっている。
【００１１】
ブリーダ回路５は、直流出力１１２Ｖの負荷となるブリーダ抵抗、ブリーダ抵抗の接続を開閉するスイッチ等を備えたブロックとなっている。また、スイッチ回路６は、降圧型レギュレータ１１の入力を、直流出力８Ｖまたは直流出力２７Ｖに切り換えるためのブロックとなっている。また、降圧型レギュレータ１１は、スイッチ回路６から送出される直流出力を５Ｖまで降圧し、降圧した出力２２をマイクロコンピュータ１２に供給するブロックとなっている。
【００１２】
異常検出部９は、４つの直流出力８Ｖ，１２Ｖ，２７Ｖ，１１２Ｖのうち、基準直流出力である直流出力１１２Ｖを除くと共に、動作モード時にマイクロコンピュータ１２の電源となる直流出力８Ｖを除いた２つの直流出力１２Ｖ，２７Ｖの電圧を監視するブロックとなっている。そして、直流出力１２Ｖ，２７Ｖのうち、少なくとも一方の側が、所定値である０Ｖ近傍となったときには、電圧の低下を示す出力２４を主制御部１０に送出する。
【００１３】
主制御部１０は、ビデオ部３、テレビ部４の制御を主に行うためのブロックとなっている。また、誤差検出回路８に設けられた分圧回路の分圧比を制御することにより、ビデオ部３とテレビ部４とを、動作モードまたは待機モードに切り換える。また、モードの切り換えに伴ってスイッチ回路６の接続を切り換える。また、ブリーダ回路５の制御を行う。また、動作モード時に、異常検出部９から電圧の低下を示す出力２４が送出されたときには、誤差検出回路８の分圧比を、規定値から、規定値より小さな値に変更し、全ての直流出力８Ｖ，１２Ｖ，２７Ｖ，１１２Ｖの電圧を降下させる制御を行う。
【００１４】
なお、主制御部１０は、マイクロコンピュータ１２により実行されるソフトウエアを主要部として構成されており、リモコンからの指示や操作パネルのスイッチからの指示等の受け付けを行うため、テレビ部４やビデオ部３が動作を行わない期間においても、動作状態にあることが要求されるブロックとなっている。また、異常検出部９は、マイクロコンピュータ１２の周辺回路の一部として構成されたブロックとなっている。
【００１５】
図２は、誤差検出回路８の詳細な電気的接続を示す回路図、図３は、スイッチ回路６と降圧型レギュレータ１１との詳細な電気的接続を示す回路図、図４は、ブリーダ回路５の詳細な電気的接続を示す回路図、図５は、異常検出部９の詳細な電気的接続を示す回路図である。
【００１６】
以下に、図２を参照しつつ、誤差検出回路８の詳細な構成を説明する。
トランジスタＱ１は、直流出力１１２Ｖの電圧誤差を検出し、検出した誤差に対応する電流でもって発光ダイオードＤ１を駆動する素子となっている。このため、エミッタには、ツェナーダイオードＤ２により生成された基準電圧が印加されている。また、ベースには、抵抗Ｒ３，Ｒ４からなる分圧回路の分圧電圧が印加されている。また、抵抗Ｒ５は、抵抗Ｒ３，Ｒ４からなる分圧回路の分圧比（規定値）を、規定値より小さい値に変更するための素子となっている。
【００１７】
すなわち、主制御部１０からの出力２１によりオン・オフが制御されるトランジスタＱ２をオン状態に設定すると、ダイオードＤ３のアノード電位がカソード電位より低くなり、抵抗Ｒ５は、抵抗Ｒ４から切り離される。一方、トランジスタＱ２をオフとしたときには、ダイオードＤ３に電流が流れ、抵抗Ｒ５は抵抗Ｒ４に並列に接続された状態と等価となる。要約すると、トランジスタＱ２をオンにすると、分圧回路の分圧比は規定値となり、トランジスタＱ１は、直流出力１１２Ｖの電圧が１１２Ｖとなるように誤差検出を行う。一方、トランジスタＱ２をオフにすると、分圧比が小さくなり、トランジスタＱ１は、直流出力１１２Ｖの電圧が４０Ｖとなるように誤差検出を行う。
【００１８】
抵抗Ｒ７とツェナーダイオードＤ４とからなる回路は、チューナ用の３２Ｖの電圧を生成するブロックとなっている。また、抵抗Ｒ６は、トランジスタＱ２がオフとなったとき、直流出力２７Ｖを分圧回路に流れ込ませるための素子となっており、分圧比を小さくしたときの直流出力２７Ｖの電圧降下の速度を、僅かに遅くする。また、トランジスタＱ２のコレクタから送出される出力２５は、主制御部１０の出力２１の論理を反転させた出力となっていて、後述するように、スイッチ回路６の接続の切り換えを行う信号となっている。
【００１９】
以下に、図３を参照しつつ、スイッチ回路６と降圧型レギュレータ１１との構成を詳細に説明する。
スイッチ回路６に設けられたトランジスタＱ３は、直流出力２７Ｖのオン・オフを行う素子となっている。すなわち、トランジスタＱ３がオンになると、ダイオードＤ５のカソードの電圧がアノードの電圧より高くなり、直流出力８Ｖは、降圧型レギュレータ１１から切り離される。従って、トランジスタＱ３がオンとなるときには、直流出力２７Ｖが降圧型レギュレータ１１に送出される。一方、トランジスタＱ３がオフとなるときには、直流出力２７Ｖが降圧型レギュレータ１１から切り離され、直流出力８Ｖが降圧型レギュレータ１１に送出される。
【００２０】
また、トランジスタＱ３のオン・オフは、誤差検出回路８の分圧比の切り換えと連動させる必要があり、分圧比が規定値の場合にはトランジスタＱ３をオフ、分圧比が小さい場合にはトランジスタＱ３をオンとする必要がある。このため、トランジスタＱ３のオン・オフの制御には、主制御部１０の出力２１のレベルを反転させて使用すればよい。このため、トランジスタＱ３のベースには、電流の流れ込みを防止するダイオードＤ６を介し、誤差検出回路８から送出される出力２５が導かれている。
【００２１】
なお、図１においては、制御関係を簡明にするため、スイッチ回路６は、主制御部１０からの出力により、接続が切り換えられる構成として図示されている。しかし、実機においては、図２、図３に示したように、マイクロコンピュータ１２の出力線数を少なくする目的から、誤差検出回路８により反転された出力２５を用いて、スイッチ回路６の接続を切り換える構成となっている。
【００２２】
降圧型レギュレータ１１は、マイクロコンピュータ１２の動作電源となる５Ｖの直流出力２２を生成し、出力する。このため、トランジスタＱ４のベースには、ツェナーダイオードＤ７により安定化された電圧が印加されている。なお、直流出力２２を５Ｖに安定化することが可能な入力電圧の下限値は、本実施形態では約７Ｖとなっている。
【００２３】
以下に、図４を参照しつつ、ブリーダ回路５の構成を詳細に説明する。
直流出力１１２Ｖにはブリーダ抵抗Ｒ１５の一方の端子が接続されている。また、ブリーダ抵抗Ｒ１５の他方の端子は、トランジスタＱ６のコレクタに接続されている。そして、トランジスタＱ６は、主制御部１０からの出力２３により、オン・オフが制御される。従って、トランジスタＱ６がオンとなるときには、直流出力１１２Ｖにブリーダ抵抗Ｒ１５が接続され、トランジスタＱ６がオフとなるときには、ブリーダ抵抗Ｒ１５の接続が切り離される。
【００２４】
以下に、図５を参照しつつ、異常検出部９の構成を詳細に説明する。
一方の端子が＋５Ｖに接続された抵抗Ｒ２１と、一方の端子が抵抗Ｒ２１の他方の端子に接続され、他方の端子が二次側接地レベルに接続された抵抗Ｒ２２とは、＋５Ｖを分圧する分圧回路となっている。また、分圧出力２４は、主制御部１０がＨレベルと認識することができるレベルとなっており、具体的には、３．５Ｖに設定されている。また、抵抗Ｒ２１と抵抗Ｒ２２との接続点には、電流の流れ込みを防止するダイオードＤ９，Ｄ１０を介して、直流出力１２Ｖ，２７Ｖが接続されている。
【００２５】
従って、直流出力１２Ｖの負荷に不具合が発生し、直流出力１２Ｖの電圧が０Ｖ近傍になると、出力２４はＬレベルとなる。また、直流出力２７Ｖの負荷に不具合が発生し、直流出力２７Ｖの電圧が０Ｖ近傍になると、出力２４はＬレベルとなる。すなわち、異常検出部９は、出力２４をＬレベルとすることによって、直流出力１２Ｖ，２７Ｖの負荷の少なくとも一方に不具合が発生したことを主制御部１０に知らせる。
【００２６】
図６は、実施形態の主要信号の変化を示す説明図、図７は、直流出力２７Ｖ，１１２Ｖの電圧変化を示す説明図である。必要に応じて同図を参照しつつ、実施形態の動作を説明する。
【００２７】
テレビ部４のみ、またはテレビ部４とビデオ部３とを動作させるモードであるとき、主制御部１０は、テレビ部４の水平回路をオン状態に設定する。また、出力２１をＨレベルとし、分圧比を規定値とすることによって、直流出力８Ｖ，１２Ｖ，２７Ｖ，１１２Ｖのそれぞれの電圧を、８Ｖ、１２Ｖ、２７Ｖ、１１２Ｖに設定する。また、出力２１がＨレベルであるときには、出力２５はＬレベルとなる。従って、直流出力８Ｖが、スイッチ回路６を介して降圧型レギュレータ１１に導かれる。また、出力２３をＬレベルとすることにより、ブリーダ抵抗Ｒ１５の接続を開く。
【００２８】
上記した動作モードから、テレビ部４とビデオ部３との動作を停止させる待機モードに移行するときには、出力２１をＬレベルとし、出力２３をＨレベルとする（時刻Ｔ１）。出力２１がＬレベルになると、誤差検出回路８の分圧回路の分圧比は小さくなり、直流出力８Ｖ，１２Ｖ，２７Ｖ，１１２Ｖのそれぞれの電圧は下降を開始する。また、出力２３がＨレベルとなるので、ブリーダ抵抗Ｒ１５が直流出力１１２Ｖに接続される。従って、直流出力１１２Ｖの電圧は、１１２Ｖから４０Ｖに向かって速やかに下降する。
【００２９】
また、出力２１がＬレベルとなったときには、出力２５がＨレベルとなることから、降圧型レギュレータ１１には、スイッチ回路６を介して、直流出力２７Ｖが導かれる。従って、直流出力２７Ｖの電圧は、７．５Ｖ（降圧型レギュレータ１１の下限値である７Ｖに、スイッチ回路６の降下分を追加した値）以上に維持される必要がある。一方、時刻Ｔ１以後では、直流出力１１２Ｖの電圧は、図７の５３に示すように、速やかに下降する。従って、一次側からの供給電力が増加するまでの時間が短い。つまり、直流出力２７Ｖの電圧が８．５Ｖ以下となる以前に、一次側からの供給電力が増加する。このため、直流出力２７Ｖの電圧が８．５Ｖ以下となることが防止される（５４参照）。
【００３０】
図７の破線５１は、ブリーダ抵抗Ｒ１５が接続されなかった場合の直流出力１１２Ｖの電圧変化を示しており、電圧の降下速度が遅い。従って、直流出力２７Ｖの電圧は、破線５２に示すように、一時的に電圧Ｖ１（７．５Ｖ）以下となる。しかし、ブリーダ抵抗Ｒ１５を接続し、直流出力１１２Ｖの電圧降下を速めると、直流出力２７Ｖの電圧は、Ｖ１以上の値に維持される。従って、ブリーダ抵抗Ｒ１５の値は、実機において、時刻Ｔ１以後の直流出力２７Ｖの電圧変化を調べ、直流出力２７Ｖの電圧がＶ１以下となることのない値に設定される。
【００３１】
そして、直流出力１１２Ｖの電圧が４０Ｖまで下降した後には、消費電力の増加を防止するため、出力２３をＬレベルとすることにより、直流出力１１２Ｖからブリーダ抵抗Ｒ１５を切り離す（時刻Ｔ２）。そして後、テレビ部４の水平回路をオフにする（時刻Ｔ３）。
【００３２】
以下に、タイマ録画やビデオカセットの排出等のように、テレビ部４を動作させることなく、ビデオ部３のみを動作させる場合について、説明する。
ビデオ部３のみを動作させる場合では、テレビ部４の水平回路をオフ状態に維持したまま、出力２１をＨレベルにする。また、出力２３をＨレベルとすることにより、直流出力１１２Ｖにブリーダ抵抗Ｒ１５を接続する（時刻Ｔ４）。
【００３３】
出力２１がＨレベルになると、誤差検出回路８の分圧回路の分圧比が規定値となり、直流出力１１２Ｖの電圧が１１２Ｖとなるように制御が開始される。このとき、直流出力１１２Ｖにはブリーダ抵抗Ｒ１５が接続されている。従って、直流出力１２Ｖ，２７Ｖの電圧が低下すると、直流出力１１２Ｖの電圧も併せて低下することになるため、直流出力８Ｖ，１２Ｖ，２７Ｖ，１１２Ｖの各電圧が、８Ｖ、１２Ｖ、２７Ｖ、１１２Ｖとなるように制御される。その結果、ビデオ部３のモータを駆動させ、直流出力１２Ｖの負荷を増加させたときにも、直流出力１２Ｖの電圧は１２Ｖに維持されることになる。
【００３４】
ビデオ部３のみを動作させた状態から、ビデオ部３の動作を停止させるときには、出力２１をＬレベルとし、分圧比を小さくすることによって、直流出力８Ｖ，１２Ｖ，２７Ｖ，１１２Ｖの電圧を降下させる（時刻Ｔ５）。このときでは、ブリーダ抵抗Ｒ１５は、直流出力１１２Ｖに接続された状態にあるので、直流出力２７Ｖの電圧は、８Ｖ以上に維持される。そして、直流出力１１２Ｖの電圧が４０Ｖまで下降した後には、出力２３をＬレベルとすることにより、直流出力１１２Ｖからブリーダ抵抗Ｒ１５を切り離す（時刻Ｔ６）。
【００３５】
一方、出力２１をＨレベルとすることによって、テレビ部４のみ、またはビデオ部３のみ、あるいはテレビ部４とビデオ部３との双方を動作させた状態において、テレビ部４やビデオ部３に不具合が発生し、直流出力１２Ｖ，２７Ｖの電圧が０Ｖ近傍まで下降したとする。このときでは、異常検出部９の出力２４が、ＨレベルからＬレベルに変化する。出力２１をＨレベルとした状態において、出力２４がＬレベルとなった場合、主制御部１０は、テレビ部４またはビデオ部３に不具合が発生したと判定し、出力２１をＬレベルに変更する。
【００３６】
出力２１をＬレベルとしたときには、直流出力１２Ｖ，２７Ｖは、等価的な内部抵抗が大きくなる。従って、テレビ部４やビデオ部３に、不具合として、例えば、短絡等が生じたときにも、直流出力１２Ｖ，２７Ｖの電流値は少ない値に留まる。従って、不具合の発生による発熱量は抑制され、テレビ部４やビデオ部３の温度上昇が防止されることになる。
【００３７】
以下に、その他の実施形態について説明する。
【００３８】
本実施形態におけるブリーダ回路５の構成は、基準直流出力である直流出力１１２Ｖと、直流出力１１２Ｖより電圧が低い直流出力２７Ｖとの間に、ブリーダ抵抗Ｒ１５を常に接続した構成となる。従って、ブリーダ回路５の構成は、図４に示す構成から、トランジスタＱ６を省略すると共に、トランジスタＱ６のベースに接続された２つの抵抗を省略した構成となる。すなわち、ブリーダ回路５は、一方の端子が直流出力１１２Ｖに接続され、他方の端子が、破線で示すように、直流出力２７Ｖに接続されたブリーダ抵抗Ｒ１５のみとなる。
【００３９】
上記構成の実施形態では、直流出力１１２Ｖには、常時、ブリーダ抵抗Ｒ１５による電流が流れる。従って、出力２１がＨレベルからＬレベルに変化したときには、ブリーダ抵抗Ｒ１５を介して、テレビ部４に流れる電流の作用により、直流出力１１２Ｖの電圧は、速やかに４０Ｖに向かって下降する。従って、直流出力２７Ｖの電圧は、直流出力１１２Ｖの電圧の降下速度が速いことと、ブリーダ抵抗Ｒ１５を介して供給される電流との相乗効果により、電圧Ｖ１より低い電圧となることが防止される。
【００４０】
【発明の効果】
本発明に係る直流電源装置は、複数の直流出力から基準直流出力を除いた直流出力のうちの１つの直流出力である低圧側直流出力と、複数の直流出力から基準直流出力を除いた直流出力のうちの１つの直流出力であって、低圧側直流出力より電圧の高い直流出力である高圧側直流出力とを切り換えて送出するスイッチ回路と、スイッチ回路から送出される直流出力を安定化する降圧型レギュレータとを備え、分圧回路の分圧比を基準値とするときにはスイッチ回路から低圧側直流出力を送出させ、分圧回路の分圧比を前記小さい値とするときにはスイッチ回路から高圧側直流出力を送出させ、分圧比が基準値となるときの低圧側直流出力の電圧と分圧比が基準値より小さい値となるときの高圧側直流出力の電圧との双方を、降圧型レギュレータの入力電圧の下限値より高い電圧とし、複数の直流出力から基準直流出力を除いた直流出力の電圧を監視し、監視した電圧が予め設定された電圧より低くなったときには、分圧回路の分圧比を前記小さい値に変更する構成としている。すなわち、誤差検出が行われない直流出力の電圧が所定値以下となったときには、分圧比を小さくすることにより、直流出力の電圧を降下させている。このため、負荷の不具合の発生に伴う発熱を抑制することが可能となっている。
【図面の簡単な説明】
【図１】本発明に係る直流電源装置の一実施形態の電気的構成を示すブロック線である。
【図２】誤差検出回路の詳細な電気的接続を示す回路図である。
【図３】スイッチ回路と降圧型レギュレータとの詳細な電気的接続を示す回路図である。
【図４】ブリーダ回路の詳細な電気的接続を示す回路図である。
【図５】異常検出部の詳細な電気的接続を示す回路図である。
【図６】実施形態の主要信号の変化を示す説明図である。
【図７】直流出力の電圧変化を示す説明図である。
【符号の説明】
１  スイッチング回路
３  ビデオ部
４  テレビ部
５  ブリーダ回路
６  スイッチ回路
１１  降圧型レギュレータ
１２  マイクロコンピュータ
８Ｖ，１２Ｖ，２７Ｖ  直流出力
１１２Ｖ  基準直流出力
Ｑ２  分圧比の切り換えを行うトランジスタ
Ｒ３，Ｒ４  分圧回路を構成する抵抗
Ｒ５  分圧比を小さくする抵抗
Ｒ１５  ブリーダ抵抗
【図１】
0003748208.tif 000002
【図２】
0003748208.tif 000003
【図３】
0003748208.tif 000004
【図４】
0003748208.tif 000005
【図５】
0003748208.tif 000006
【図６】
0003748208.tif 000007
【図７】
0003748208.tif 000008